(57)【要約】  【課題】  食材の色・種類に応じてまな板を反転したり、異なる色のまな板と都度、取り替える手間をできるだけ低減する。  【解決手段】  ポリプロピレン２０〜８０重量％と熱可塑性エラストマー８０〜２０重量％とからなる樹脂組成物を主成分とし、二色の樹脂を射出成形したまな板１００である。食材を搭載する一方の主平面の約右半分を白色１０にし、残りの約左半分を黒色２０とし、まな板１００の厚さ寸法は１０〜２０mm程度、黒色２０部分の板厚は1〜3mm程度とした。【選択図】  図２
0003138144.tif 000002
【実用新案登録請求の範囲】
【請求項１】
食材を搭載する少なくとも一つの主平面の約半分を白色に、残りの約半分を白色と異なる色としたことを特徴とするまな板。
【請求項２】
白色と異なる色を黒色としたことを特徴とする請求項１記載のまな板。
【請求項３】
異なる色を表側の主平面と裏側の主平面とで変えたことを特徴とする請求項１記載のまな板。
【考案の詳細な説明】
【技術分野】
【０００１】
本考案は、木製またはプラスチック部材からなるまな板の主平面の色に関する。
【背景技術】
【０００２】
従来、高齢者に多い白内障や角膜混濁などのロービジョン者(視力が極めて弱い人)にとって、白黒反転した文字(文字が白、背景が黒)が見やすいと言われている。調理をする場面でも同様に、背景を黒くし、食材や器具とのコントラストをつけることにより見やすくなる。食材には大根や豆腐など白いものも多く、まな板の色と同化するため調理がしにくかった。
【０００３】
合成樹脂薄板から成るまな板材を剥離可能となるように複数積層して成るまな板であって、積層したまな板材の少なくとも一つが他のまな板材と異なる色彩に着色してあることを特徴とするものが特開平６−９０８６５号公報に提案されている。
【特許文献１】特開平６−９０８６５号公報
【考案の開示】
【考案が解決しようとする課題】
【０００４】
しかし特許文献１におけるまな板は食材の色や種類に応じてまな板を反転したり、異なる色のまな板と都度、取り替える必要があり調理作業が極めて煩わしくなる。また、異なる色のまな板を多数配置するスペースも必要で、調理の場所が狭くなり作業がしにくくなる恐れがあった。
【０００５】
本考案は食材の色・種類に応じてまな板を反転したり、異なる色のまな板と都度、取り替える手間をできるだけ低減することを目的とする。
【課題を解決するための手段】
【０００６】
本考案にかかるまな板は、食材を搭載する少なくとも一つの主平面の約半分を白色に、残りの約半分を白色と異なる色としたことを特徴としたもので、食材の色・種類に応じてまな板を反転したり、異なる色のまな板と都度、取り替える頻度が減り作業性が向上する。また、白と暗い色の食材を同時に一枚のまな板上で調理できる。
【０００７】
さらに本考案にかかるまな板は、白色と異なる色を黒色としたことを特徴としたもので、大根や豆腐など白いものの調理が容易になる。
【０００８】
さらに本考案にかかるまな板は、異なる色を表側の主平面と裏側の主平面とで変えたことを特徴としたもので、一枚のまな板で最大３種類の色のまな板として使用できる。
【考案の効果】
【０００９】
上記構成により本考案のまな板は、食材の色・種類に応じてまな板を反転したり、異なる色のまな板と都度、取り替える頻度が減り作業性が向上する。また、白と暗い色の食材を同時に一枚のまな板上で調理できる。一枚のまな板で最大３種類の色のまな板として使用できる。
【考案を実施するための最良の形態】
【００１０】
本考案にかかるまな板は上述の通りである。まな板を構成する部材は一般的に使用される任意の部材としてよい。例えば木製、各種プラスチックなどの内、一つとすればよい。
木材を用いる場合は、白色系の木材と黒色系木材とを膠や釘、木ねじ等で結合し一体化すればよい。プラスチックを用いる場合は、例えばポリエチレン樹脂、ポリプロピレン樹脂を主体としてエラストマー樹脂を加えた部材、ＡＢＳ樹脂等から選んだ一つを用い、多色射出成形工法を用いるのが好ましい。
【００１１】
なお、まな板の外形寸法を任意としてよいことは自明である。また、まな板の色は白色系以外に黒色、または青色・赤色などの７色、水色やベージュ色などの中間色等、任意の色としてよいことも自明である。木製の場合は木材の地肌色を用いたり,塗料を塗布したり,樹脂コーティングすればよい。樹脂製の場合、樹脂ペレットに染料・顔料等の着色剤を予め混入して射出成形(多色成形)すればよい。
【実施例１】
【００１２】
以下、本考案のまな板を図面とともに説明する。図１は本考案の一実施例におけるまな板の平面図、図２は図１の正面図を示す。
【００１３】
図1、図２に示すまな板１００は、ポリプロピレン２０〜８０重量％と熱可塑性エラストマー８０〜２０重量％とからなる樹脂組成物を主成分とし、二色の樹脂を射出成形した。詳しくは、食材を搭載する一方の主平面の約右半分を白色１０に、残りの約左半分を黒色２０に成形したことを特徴とする。まな板１００の厚さ寸法は１０〜２０mm程度とし、黒色２０部分の板厚は1〜3mm程度とした。
【００１４】
上記構成により本考案のまな板１００は食材の色・種類に応じてまな板を反転したり、異なる色のまな板と都度、取り替える頻度が減り作業性が向上する。また、白と暗い色の食材を同時に一枚のまな板上で調理できる。
【実施例２】
【００１５】
図３は本考案のもう一つの実施例におけるまな板の平面図、図４は図３の正面図、図５は図３の背面図を示す。
まな板２００の基本的な構成は実施例１の場合と同様で、一方の主平面(表面)だけでなく、他方の主平面(裏面)にも白色とそれ以外の色を配色したことを特徴とする。また、白色と異なる色を表側と裏側とで変えたことを特徴とする。
【００１６】
詳しくは、表面側は約右半分を白色２１０とし、残りの約左半分を黒色２２０とした。さらに、裏面側では白色と水色２３０とを左右約半々に配色した。白色以外の有色部分は略点対称に配設した。この場合のまな板２００は多色射出成形において、例えば白白樹脂射出成形と黒色樹脂射出成形と水色樹脂射出成形の３工程が必要となる。
【００１７】
上記構成により本考案のまな板２００は食材の色・種類に応じてまな板を都度、取り替える頻度が減り作業性が向上する。また、白と暗い色の食材を同時に一枚のまな板上で調理できる。さらに、一枚のまな板で最大３種類の色のまな板として使用できる。
【００１８】
なお、上記実施例において白色と有色との領域区分は左右約半々に限るものでなく、任意としてよいことは自明で、例えば上下略半々に区分する、矩形の対角線で略半々に区分するなどとしてもよい。
【産業上の利用可能性】
【００１９】
本考案は剛性を有するまな板のみならず、フィルム状やシート状のまな板にも利用できる。まな板の他に、シャモジやスプーンを白黒半々に配色するようにしてもよい。
【図面の簡単な説明】
【００２０】
【図１】本考案の一実施例におけるまな板の平面図
【図２】図１の正面図
【図３】本考案のもう一つの実施例におけるまな板の平面図
【図４】図３の正面図
【図５】図３の背面図
【符号の説明】
【００２１】
１０、２１０  白色
２０、２２０  黒色
２３０  水色
１００、２００  まな板
【図１】
0003138144.tif 000003
【図２】
0003138144.tif 000004
【図３】
0003138144.tif 000005
【図４】
0003138144.tif 000006
【図５】
0003138144.tif 000007